(57)【要約】【課題】  超小型キセノン放電ランプを連続点灯できるようにする。  連続点灯する場合であっても、ちらつきが発生することがなくまたは少なく、しかも、携帯可能にするため小型且つ、軽量にて小型のキセノン放電ランプ点灯装置を提供すること。【解決手段】  乾電池より入力された電圧がトランスにより３００Ｖ程度まで昇圧させ、ダイオードで整流されて放電用コンデンサに蓄えられ、タイマにて発生したタイミングに同期してトリガートランスを駆動し、これによりトリガー端子に高電圧パルスが発生し、放電管内部ガスがプラズマ化され放電用コンデンサに蓄えられていた電荷が一気に放電し発光する、また発光は連続点灯することを特徴とする。【選択図】図１
2005135880.tif 000002
【特許請求の範囲】
【請求項１】
小型キセノン放電ランプを連続点灯するための小型点灯装置
【発明の詳細な説明】
【技術分野】
【０００１】  本発明は、小型キセノン放電ランプ連続点灯するための小型点灯装置に関する。
【背景技術】
【０００２】  例えば各種照明等に使用されているキセノン放電ランプの光源としては、従来大型のキセノン放電ランプが用いられており、かかるキセノン放電ランプを点灯するための点灯装置としては、装置自体も大きくまた最大投入電力が大きく、高い電流を供給することが可能な大型のものが用いられている。小型のキセノン放電ランプについても、カメラのフラッシュのように単発発光するものしかなく、連続点灯するものが存在しなかった。
【発明の開示】
【発明が解決しようとする課題】
【０００３】  本発明は、以上のような事情に基づいてなされたものであって、その目的は、小型キセノン放電ランプを連続点灯するための点灯装置において連続点灯するように、ちらつきや点滅発光することがなくまたは少なく、しかも、小型で且つ最大投入電力が小さくて、小型のキセノン放電ランプ連続点灯装置を提供することにある。
【課題を解決するための手段】
【０００４】  本発明の小型キセノン放電ランプ連続点灯装置は、放電ランプを点灯するための点灯装置において、乾電池等の小型電源より入力された電圧をトランスにより昇圧させ、ダイオードにより整流された電流が放電用コンデンサに蓄えられ、タイマにて発生したタイミングパルスに同期してトリガートランスを駆動し、これによりトリガー端子に高電圧パルスが発生し、放電管内部のガスがプラズマ化され放電用コンデンサに蓄えられていた電化が一気に放電し発光することを特徴とする。発光は、連続点灯することを特徴とする。本発明の小型キセノン放電ランプ連続点灯装置においては、省電力及び発熱対策としてタイマＩＣの発信周波数を２００Ｈｚ以下とすることが望ましい。
【発明の効果】
【０００５】  以上説明したように、本発明により小型キセノン放電管ランプの連続点灯方法を採用したことで、従来にはなく、小型であるにもかかわらず、高輝度の連続発光を可能とし発光効率を向上させ、消費電力を抑えることを可能とし、この種の小型キセノン放電管ランプを連続発光させることを可能とするものである。更に、可変抵抗によりタイミングパルスの周波数を制御できるため、連続発光にちらつきを生じることなく、安定した発光が得られるものとなる。
【発明を実施するための最良の形態】
【０００６】  次に、本発明を図１に示す実施形態に基づいて詳細に説明する。図１に符号１８で示すものは、小型キセノン放電管ランプであり、小型キセノン放電管ランプ１８は、カメラ等のフラッシュ用光源として搭載されているものと同類の小型なものである。図１に符号１で示すものは、乾電池等の小型電源であり、入力電圧については、ＤＣ１２Ｖである。図１符合２で示すものは、点灯装置の動作を制御するスイッチである。コンバータ回路について、図１符合９で示すものは、ＤＣ−ＤＣコンバータでＤＣ１２Ｖを小型キセノン放電管ランプの発光に必要な電圧ＤＣ３００Ｖ程度に昇圧させる。図１符合３で示すものは、０．００４７μＦ６００Ｖ程度のコンデンサ、図１符合８で示すものは、０．０６８μＦ程度のコンデンサである。図１符合４で示すものは、２ＳＤ７９８トランジスタである。図１符合７で示すものは、３０Ｖ１２０ｍＡ程度のダイオードである。図１符合５で示すものは４７ＫΩ程度の抵抗、図１符合６で示すものは１．５ＫΩ程度の抵抗である。電源安定化回路について、図１符合３１で示すものは、３端子正出力電圧安定化回路の３端子レギュレーターで、１２Ｖの入力電流から９Ｖの安定した電圧を得るものである。図１符合２８で示すものと図１符合２９で示すものは、それそれ０．１μＦ程度のコンデンサである。図１符合２７で示すものは、１０μＦ程度の電解コンデンサ、図１符合３０で示すものは、４７０μＦ程度の電解コンデンサである。タイミングパルス発生回路について、図１符合２３で示すものは、タイマＩＣで、トリガーのタイミングパルスを発生させる。図１符合１９で示すものは、２ＳＡ６７３でトランジスタである。図１符合２４で示すものは、０．０６８μＦ程度のコンデンサである。図１符合２０で示すもの及び図１符合２１で示すものは、それそれ３３０Ω程度の抵抗、図１符合２２で示すものは３９０Ω程度の抵抗、図１符合２５で示すものは１ＫΩ程度の抵抗、図１符合３２で示すものは、６８ＫΩ程度の抵抗である。図１符合２６で示すものは、可変抵抗３００Ｋ程度のもので、これにより抵抗を変化させることによりタイミングパルスの周波数が変化する。この可変抵抗は、タイミングパルスが２００ＭＨｚ以下で小型キセノン放電管ランプの連続発光において、ちらつきのないように制御する。トリガー回路について、図１符合１５で示すものは、トリガートランスで図１符合１３で示すトリガートランス駆動用コンデンサ０．０１μＦ４００Ｖ程度のものに充電された電荷が、タイミングパルスに同期して図１符合１５のトリガートランスが駆動する。
図１符合１０で示すものは、１ＫＶ以上のＦＲＤ高耐圧の高速ダイオードである。図１符合１６で示すものは、ＳＦＯＲ３Ｇダイオードである。図１符合１１で示すものは、０．２２μＦ６３０Ｖ程度のコンデンサである。図１符合１２で示すものは１ＭΩ程度の抵抗、図１符合１４で示すものは４７ＫΩ程度の抵抗である。図１符合１７で示すものは、ストロボ放電回路のゲートトリガー回路で、信号用配線である。図１符合４のスイッチングにより、図１符合９の１次巻き線に電流が流れると電磁誘導により２次巻き線に高電圧の電流が発生する。２次巻き線で発生した高電圧の電流は、図１符合１０で整流されて図１符合１１に蓄えられる。図１符合１３に蓄えられた電荷は、図１符合２３で発生したトリガーのタイミングパルスに同期して図１符合１５を駆動しトリガー端子に高圧パルスが発生し、これにより図１符合１８において放電管内部のガスがプラズマ化され、図１符合１１に充電されていた電荷が一気に放電し発光する。
【図面の簡単な説明】
【０００７】
【図１】本発明に係る小型キセノン放電管ランプの実施形態を示す回路図である。
【符号の説明】
【０００８】
【符号の説明】
１，  小型電源
２，  スイッチ
３，８，１１，１３，２４，２８，２９，  コンデンサ
４，１９，  トランジスタ
５，６，１２，１４，２０，２１，２２，２５，３２，  抵抗
７，１０，１６，  ダイオード
９，  トランス
１５，  トリガートランス
１７，  信号用配線
１８，  小型キセノン放電管ランプ
２３，  タイマＩＣ
２６，  可変抵抗
２７，３０，  電解コンデンサ
３１，  ３端子レギュレーター
【図１】
2005135880.tif 000003